(57)【要約】      （修正有）【課題】高解像度ディスプレイを搭載する１セグ携帯受信機において、自宅のデジタル放送受信機の出力を表示する。【解決手段】１セグ携帯受信機において、ＴＶ視聴モードを開始すると、無線送受信部で自宅のデジタル放送受信機とのネットワーク接続を確認し、接続する。さらに、受信したい映像サイズ、フォーマット、音声フォーマット、現在視聴中のコンテンツと特定できる情報を送信し、映像の転送を要求し、携帯電話機での視聴スタイルである横方向視聴（全画面視聴）あるいは縦方向視聴（映像プラスデータ）によって表示する。なお、該ネットワーク上にデジタル放送受信機が見つからない場合や、見つかったがそのチューナーは現在別に使用されている場合は、１セグで視聴する。【選択図】図４
2008199111.tif 000002
【特許請求の範囲】
【請求項１】
デジタル放送に基づく表示を行う表示部と、
移動体受信装置向けの第１のデジタル放送信号を受信する第１の受信部と、
前記第１のデジタル放送信号と対応し、より高品質な放送信号を受信可能なデジタル放送受信装置から通信により第２のデジタル放送信号を受信する第２の受信部と、
前記第１のデジタル放送信号と前記第２のデジタル放送信号とに基づいて前記表示部への表示制御を行う表示制御部と
を有する携帯端末装置。
【請求項２】
前記第２の受信部を介して、前記デジタル放送受信装置に対して前記第２のデジタル放送信号の表示特性に関する要求を行うことを特徴とする請求項１に記載の携帯端末装置。
【請求項３】
前記要求として、前記表示部の表示性能に適した高品質な映像を表示可能なデジタル放送信号の送信要求を行うことを特徴とする請求項２に記載の携帯端末装置。
【請求項４】
デジタル放送に基づく表示を行う表示部と、
１セグのデジタル放送信号を受信する第１の受信部と、
地上デジタル放送信号を受信可能な地上デジタル放送受信装置から通信により前記１セグのデジタル放送信号と対応する地上デジタル放送信号を受信する第２の受信部と、
前記１セグのデジタル放送信号と前記地上デジタル放送信号とに基づいて前記表示部への表示制御を行う表示制御部と
を有する携帯端末装置。
【請求項５】
前記地上デジタル放送信号に基づいて映像を表示し、前記１セグのデジタル放送信号に基づいてデータ放送の表示を行うことを特徴とする請求項４に記載の携帯端末装置。
【請求項６】
前記表示部に全画面表示させる場合には、前記第１の受信部による受信を停止する制御を行うことを特徴とする請求項４又は５に記載の携帯端末装置。
【請求項７】
前記１セグのデジタル放送と前記地上デジタル放送とが同じ番組であるか否かを確認する対応確認部を有することを特徴とする請求項４から６までのいずれか１項に記載の携帯端末装置。
【請求項８】
地上デジタル放送信号を受信する地上デジタル放送受信部と、
１セグのデジタル放送信号を受信する第１の受信部を備えた携帯端末装置との間の通信を行う通信部と、を有し、
前記１セグのデジタル放送信号と対応する地上デジタル放送信号を前記地上デジタル放送受信部により受信し、前記携帯端末装置において表示可能なフォーマットに変換した映像を、前記通信部を介して前記携帯端末装置に対して送信することを特徴とする地上デジタル放送受信装置。
【請求項９】
前記携帯端末装置から前記通信部を介して要求された表示特性に基づいて、前記地上デジタル放送受信部において受信した地上デジタル放送信号に基づく映像を変換する映像変換部を有することを特徴とする請求項８に記載の地上デジタル放送受信装置。
【請求項１０】
デジタル放送に基づく表示を行う表示部と、１セグのデジタル放送信号を受信する第１の受信部と、地上デジタル放送信号を受信可能な地上デジタル放送受信装置から通信により前記１セグのデジタル放送信号と対応する地上デジタル放送信号を受信する第２の受信部と、前記１セグのデジタル放送信号と前記地上デジタル放送信号とに基づいて前記表示部への表示に関する制御を行う表示制御部と、を有する携帯端末装置と；
地上デジタル放送信号を受信する地上デジタル放送受信部と、前記携帯端末装置との間の通信を行う通信部と、を有し、前記１セグのデジタル放送信号と対応する地上デジタル放送信号を前記地上デジタル放送受信部により受信し、前記通信部を介して前記携帯端末装置に対して送信することを特徴とする地上デジタル放送受信装置と；
を含むデジタル放送受信システム。
【請求項１１】
前記携帯端末装置は、インターネットと接続可能な第１の通信インターフェイス部を有しており、
前記地上デジタル放送受信装置の前記通信部は、インターネット経由で前記携帯端末装置と通信可能であることを特徴とする請求項１０に記載のデジタル放送受信システム。
【請求項１２】
前記第１の通信インターフェイス部は、前記インターネットと無線ＬＡＮ装置により無線接続されていることを特徴とする請求項１１に記載のデジタル放送受信システム。  
【請求項１３】
前記１セグのデジタル放送信号を前記地上デジタル放送受信装置側で受信し、前記通信部を介して前記携帯端末装置に送ることを特徴とする請求項１０に記載のデジタル放送受信システム。
【請求項１４】
前記１セグのデジタル放送信号を前記地上デジタル放送受信装置側で受信し、その中のデータ放送信号を、前記通信部を介して前記携帯端末装置に送ることを特徴とする請求項１０に記載のデジタル放送受信システム。
【請求項１５】
携帯端末装置を用いたデジタル放送の表示制御方法であって、
１セグのデジタル放送信号を受信する第１の受信ステップと、
地上デジタル放送信号を受信可能な地上デジタル放送受信装置から通信により前記１セグのデジタル放送信号と対応する地上デジタル放送信号を受信する第２の受信ステップと、を有し、
前記１セグのデジタル放送信号と前記地上デジタル放送信号とに基づいて表示部への表示に関する制御を行うことを特徴とする表示制御方法。
【請求項１６】
地上デジタル放送受信装置を用いたデジタル放送の送受信方法であって、
１セグのデジタル放送信号を受信する携帯端末装置から該１セグのデジタル放送信号に対応する地上デジタル放送信号を受信する受信ステップと、
受信した前記地上デジタル放送信号を、前記携帯端末装置からの要求に応じて変換するステップと、
変換した前記地上デジタル放送信号を前記携帯端末装置に送信するステップと
を有することを特徴とする送受信方法。
【請求項１７】
コンピュータに請求項１５又は１６に記載のステップを実行させるためのプログラム。
【請求項１８】
請求項１７に記載のプログラムを記録するコンピュータ読みとり可能な記録媒体。
【発明の詳細な説明】
【技術分野】
【０００１】
本発明は、デジタル放送受信技術に関し、特に、デジタル放送受信システム、携帯端末装置、及び、デジタル放送受信装置に関する。
【背景技術】
【０００２】
地上デジタルテレビ放送は、（１）アナログ放送に比べて高品質な映像や音声、（２）マルチパスに強いＯＦＤＭ（Ｏｒｔｈｏｇｏｎａｌ Ｆｒｅｑｕｅｎｃｙ Ｄｉｖｉｓｉｏｎ Ｍｕｌｔｉｐｌｅｘｉｎｇ）方式を採用しておりゴーストに強い、（３）データの送受信が容易で双方向性を持たせることができる、などの特長があり、据え置きテレビ向けのハイビジョン放送・データ放送サービスが実施されている。
【０００３】
地上デジタルテレビ放送では、その伝送規格から移動受信機向け放送サービスも可能となっており、携帯受信機向けの放送サービス（いわゆる１セグ放送）も開始されている。
【０００４】
日本の地上デジタルテレビ放送では、テレビジョン放送と音声放送の共通性を考慮してＩＳＤＢ−Ｔ(Ｉｎｔｅｇｒａｔｅｄ Ｓｅｒｖｉｃｅｓ Ｄｉｇｉｔａｌ Ｂｒｏａｄｃａｓｔｉｎｇ ｆｏｒ Ｔｅｒｒｅｓｔｒｉａｌ)方式が採用されている。ＩＳＤＢ−Ｔ方式では、固定受信向け番組と移動受信向け番組などが混在する編成を可能にするため、周波数分割による階層伝送を行っている。即ち、１つのチャンネル（５．６ＭＨｚの帯域）を１３個のセグメントに分割することで、複数の放送サービスを同時に行うことができる。１３セグメントのうち、中央の１セグメントは、各種の制御信号、データ放送用の信号、移動向け受信番組用の映像／音声信号等の伝送に使用される。他の１２セグメントは、移動受信向け番組用の映像／音声信号等の伝送に使用される。移動受信機向け放送サービスは、１３セグメントのうちの中央に配置された１つのセグメントを使って行われ、固定受信向け放送サービスは、１３セグメントの全てを使用して行われている。
【０００５】
１セグとは、地上デジタル放送の電波を利用して、携帯端末向けに番組（簡易動画）を放送する仕組みを指す。１セグ放送は、強階層を使った簡易動画放送のことを指す。地上デジタル放送はＵＨＦ帯域の電波を使用しており、６ＭＨｚを１つのチャンネルとして割り当てられている。これを１３のセグメントに分割して放送を行う。このうちの携帯向けの強階層に割り当てられている「１つのセグメント」を使用して放送を行うことから「１セグ放送」と呼ばれている。   
【０００６】
１セグに関連する技術に関しても様々な提案がなされている。例えば、特許文献１では、家庭で１２セグを受信し、１セグに符号化し直して端末へ送信する技術が、特許文献２では、携帯端末で１セグデータを視聴する技術が、特許文献３では、１３セグで受信しているうちの１セグ部分のＴＳを家庭内で配信する技術であって、地デジチューナー搭載機器と直接無線通信して１セグデータを受信する点、複数の地デジ機器と接続する時は無線通信の感度の高いものを選択する点が記載されている。また、パーソナルコンピュータ（ＰＣ）や携帯端末向けに無線ＬＡＮ経由で番組を配信したり、アナログデータ、ＶＧＡなどのサイズ対応する製品として、ロケーションフリー（登録商標）などの商品も販売されている。
【０００７】
【特許文献１】特開2005-197829号公報、「データ受信装置、及び携帯端末装置」：
【特許文献２】特開2005-204064号公報、「番組録画装置、携帯端末装置、及びプログラム」
【特許文献３】特開2006-165934号公報、「デジタル放送システム、携帯端末、及び、デジタル放送受信装置」
【発明の開示】
【発明が解決しようとする課題】
【０００８】
上記特許文献１は、１２セグ信号を受信し１セグ形式へ変換してから表示するため、表示の高画質化に関するメリットはない。上記特許文献２では、携帯端末で視聴するのはあくまで１セグデータであるため、表示は１セグの受信に基づく品質となる。すなわち、録画コンテンツにおいて、携帯端末で視聴するときには１セグ録画データを携帯に送信する形式であり、得られるのはQVGAである。特許文献３も、１セグデータを配信するため、１セグデータ以上の表示品質にはならない。すなわち、１セグＴＳの家庭内での再配信を行うため、得られるデータはQVGAである点は従来と同様である。ロケーションフリーも、１セグのデータ放送が楽しめるわけではない。
【０００９】
携帯端末のディスプレイとしてはVGAサイズのものなども出始めているが、携帯端末向け放送の１セグ放送は映像のサイズがQVGAであるため、VGAの液晶表示装置で、ドット・バイ・ドット（Dot bｙ Dot）で視聴すると画面が余ってしまい、全画面表示を行うと映像が拡大されるため荒い映像となるという問題がある。また、家庭内では１セグの電波を受信しにくいため、安定した映像音声を得にくいという問題がある。
【００１０】
本発明は、高解像度ディスプレイを搭載している１セグ受信機における表示品質を向上させることを目的とする。あわせて、データ放送も楽しめるようにすることを目的とする。
【課題を解決するための手段】
【００１１】
本発明によれば、家庭内の地デジチューナー搭載機器で１２セグを受信し、ＶＧＡサイズにスケーリングして携帯電話機に配信する。携帯電話機において、その１セグ受信のデータ放送とあわせて表示部に表示する。
【００１２】
すなわち、本発明の一観点によれば、デジタル放送に基づく表示を行う表示部と、移動体受信装置向けの第１のデジタル放送信号を受信する第１の受信部と、前記第１のデジタル放送信号と対応し、より高品質な放送信号を受信可能なデジタル放送受信装置から通信により第２のデジタル放送信号を受信する第２の受信部と、前記第１のデジタル放送信号と前記第２のデジタル放送信号とに基づいて前記表示部への表示制御を行う表示制御部と、を有する携帯端末装置が提供される。前記第２の受信部を介して、前記デジタル放送受信装置に対して前記第２のデジタル放送信号の表示特性に関する要求を行うことが好ましい。前記要求として、前記表示部の表示性能に適した高品質な映像を表示可能なデジタル放送信号の送信要求を行うことが好ましい。
【００１３】
また、デジタル放送に基づく表示を行う表示部と、１セグのデジタル放送信号を受信する第１の受信部と、地上デジタル放送信号を受信可能な地上デジタル放送受信装置から通信により前記１セグのデジタル放送信号と対応する地上デジタル放送信号を受信する第２の受信部と、前記１セグのデジタル放送信号と前記地上デジタル放送信号とに基づいて前記表示部への表示に関する制御を行う表示制御部と、を有する携帯端末装置が提供される。
【００１４】
１２セグの地上デジタル放送に基づく映像音声信号を、１２セグの地上デジタル放送を受信することができるデジタル放送受信機から、１セグを受信できる携帯端末装置に転送することにより、屋内において移動しながらでも高画質の地上デジタル放送を、携帯端末装置を用いて視聴することができる。ここで、携帯端末装置の表示部におけるディスプレイサイズ、もしくは、表示モード（表示サイズ）に最適なサイズでデジタル放送受信装置から放送信号を配信するようにするため、表示部が高画質ディスプレイであればそれを生かして高品質で綺麗に視聴することができる。また、携帯端末装置側において取得した１セグのデータ放送も同時に楽しむことができる。１セグのデータ受信は、基本的にデータ放送のためだけであるため、不要な受信を減らすことができる。例えば、全画面モードでは受信しないようにすることもできる。この場合、１セグと同様の番組であることを事前に確認することもできる。確認方法としては、放送のＴＳに含まれるＥＩＴやＮＩＴを比較したり、番組のタイトル情報をテキストで送信して受信機で同時刻のタイトルの番組をサーチしたりする方法が挙げられる。すなわち、番組を特定できる番組情報を携帯から送信することで可能となる。
【００１５】
より具体的には、家庭内の地デジチューナー搭載機器で１２セグを受信し、ＶＧＡサイズにスケーリングして携帯端末装置に配信する。携帯端末装置の１セグ受信のデータ放送とあわせて表示するように表示制御する。
【００１６】
本発明の他の観点によれば、地上デジタル放送信号を受信する地上デジタル放送受信部と、１セグのデジタル放送信号を受信する第１の受信部を備えた携帯端末装置との間の通信を行う通信部と、前記１セグのデジタル放送信号と対応する地上デジタル放送信号を前記地上デジタル放送受信部により受信し、前記通信部を介して前記携帯端末装置に対して送信することを特徴とする地上デジタル放送受信装置が提供される。前記携帯端末装置から前記通信部を介して要求された表示特性に基づいて、前記地上デジタル放送受信部において受信した地上デジタル放送信号に基づく映像を変換する映像変換部を有することが好ましい。
【００１７】
また、デジタル放送に基づく表示を行う表示部と、１セグのデジタル放送信号を受信する第１の受信部と、地上デジタル放送信号を受信可能な地上デジタル放送受信装置から通信により前記１セグのデジタル放送信号と対応する地上デジタル放送信号を受信する第２の受信部と、前記１セグのデジタル放送信号と前記地上デジタル放送信号とに基づいて前記表示部への表示制御を行う表示制御部と、を有する携帯端末装置と；地上デジタル放送信号を受信する地上デジタル放送受信部と、前記携帯端末装置との間の通信を行う通信部と、を有し、前記１セグのデジタル放送信号と対応する地上デジタル放送信号を前記地上デジタル放送受信部により受信し、前記通信部を介して前記携帯端末装置に対して送信することを特徴とする地上デジタル放送受信装置と；を含むデジタル放送受信システムであっても良い。前記携帯端末装置は、インターネットと接続可能な第１の通信インターフェイス部を有しており、前記地上デジタル放送受信装置の前記通信部は、インターネット経由で前記携帯端末装置と通信することを特徴とする。前記第１の通信インターフェイス部は、前記インターネットと無線ＬＡＮ装置により無線接続されていても良い。
【００１８】
本発明の別の観点によれば、携帯端末装置を用いたデジタル放送の表示制御方法であって、１セグのデジタル放送信号を受信する第１の受信ステップと、地上デジタル放送信号を受信可能な地上デジタル放送受信装置から通信により前記１セグのデジタル放送信号と対応する地上デジタル放送信号を受信する第２の受信ステップと、を有し、前記１セグのデジタル放送信号と前記地上デジタル放送信号とに基づいて表示部への表示に関する制御を行うことを特徴とする表示制御方法が提供される。
【００１９】
また、地上デジタル放送受信装置を用いたデジタル放送の送受信方法であって、１セグのデジタル放送信号を受信する携帯端末装置から該１セグのデジタル放送信号に対応する地上デジタル放送信号を受信する受信ステップと、受信した前記地上デジタル放送信号を、前記携帯端末装置からの要求に応じて変換するステップと、変換した前記地上デジタル放送信号を前記携帯端末装置に送信するステップと、を有することを特徴とする送受信方法が提供される。
【００２０】
本発明は、上記ステップをコンピュータに実行させるためのプログラム、このプログラムを記録するコンピュータ読み取り可能な記録媒体であっても良い。
【発明の効果】
【００２１】
本発明によれば、携帯端末装置のディスプレイサイズもしくは表示モード（表示サイズ）に最適なサイズで配信するようにすることができる。従って、高画質ディスプレイであればそれを生かして綺麗に視聴することができる。この際、１セグのデータ放送も同時に楽しむことも可能である。１セグの受信はデータ放送のためだけに用いる場合に、不要な受信を減らすことも可能である。
【発明を実施するための最良の形態】
【００２２】
本明細書において、デジタル放送受信装置は、液晶テレビなどのデジタル放送テレビジョン受信装置、ハードディスクレコーダなどの記録再生装置、などを含む。また、携帯端末装置は、携帯電話機、携帯音楽プレーヤ、携帯型ゲーム機、リモコン装置などを含む。
【００２３】
本発明によるデジタル放送受信システムでは、家庭内の地デジチューナー搭載機器で１２セグ放送を受信し、無線ＬＡＮなどを利用して携帯端末に受信したデータを配信する。この際、配信するデータは１セグ形式にするのではなく、携帯端末のディスプレイサイズに適したサイズに変換処理して配信する。この際、携帯端末においては、１セグのデータ放送と組み合わせて表示させることもできる。ユーザにとっては無線ＬＡＮなどを介して１２セグ放送が配信されていることを意識する必要がないが、表示は高品質になっている。データ放送に関しては、ＶＧＡ液晶の表示装置を有している場合には２倍のサイズに拡大して表示し、１セグと同様の視聴感覚とするのが好ましい。全画面表示の場合と縦表示の場合に応じて、配信される映像サイズを変更するようリクエストする。
【００２４】
このモードにすると、データ放送の受信回数を減らすように設定しても良い。或いは、親機で１セグのデータも見ており、更新のタイミングを教えてくれるようにしても良い。もちろんユーザのデータ放送操作アクションには反応するようにするのが好ましい。
【００２５】
以下、本発明の実施の形態によるデジタル放送受信システムについて図面を参照しながら説明を行う。
【００２６】
図１は、本実施の形態によるデジタル放送受信システムの一構成例を示す図である。図１に示すように、本実施の形態によるデジタル放送受信機Ａは、建物（例えば、家庭）Ｈの屋内に設置されるのが一般的である。固定のＵＨＦアンテナ３は、建物Ｈの屋上などに設置され、図示しない地上デジタルテレビ放送局で製作され、テレビ塔１から送信される放送波Ｌ１を受信するようになっている。固定ＵＨＦアンテナ３を介して受信した地上デジタルテレビ放送波Ｌ１の信号は、例えば有線Ｌ２によりデジタル放送受信機７に送られる。デジタル放送受信機７は、固定ＵＨＦアンテナ３が受信したデジタル放送波Ｌ１の信号から、ユーザにより選局されたチャンネルの地上デジタルテレビ放送を抽出し、これを復調しデコードした結果として得られた映像信号をテレビ５に送る。ユーザは、テレビ５により、地上デジタルテレビ放送の番組を視聴することが可能である。
【００２７】
携帯電話機１５などの携帯端末は、表示部２１と操作部２３の他に、ＵＨＦアンテナ１７と携帯用受信機とを有しており、携帯受信機向けの地上デジタルテレビ放送波Ｌ４を受信し、地上デジタルテレビ放送の番組を再生することが可能である。加えて、携帯電話機１５は、デジタル放送受信機７のインターフェイス（例えば無線ＬＡＮの親機）１１から無線により転送された映像音声信号Ｌ３を受信する無線ＬＡＮの子機を有しており、子機が受信した信号をデコードし、デコードした結果として得られた映像を、表示部２１に表示させることができるように構成されている。この構成により、ユーザは、固定ＵＨＦアンテナ３からデジタル放送受信機７を介して得られた地上デジタルテレビ放送番組を、携帯電話機１５で視聴することができる。すなわち、本実施の形態によるデジタル放送受信機７と携帯電話機１５とは、Ｂｌｕｅｔｏｏｔｈや無線ＬＡＮなどによる直接の近距離無線通信やアクセスポイントを経由したネットワーク接続による通信が可能に構成されている。さらに、デジタル放送受信機７は、復調した地上デジタルテレビ放送信号を携帯電話機１５の所望するコーデックとサイズとに変換して転送することができるように構成されている。
【００２８】
移動体受信機向け放送（１セグ放送）は、一般的な映像サイズがＱＶＧＡ（３２０ピクセル×２４０ピクセル）であるため、携帯電話機１５の表示部２１の解像度がＶＧＡ（６４０ピクセル×４８０ピクセル）などで異なる場合に全画面表示にすると、映像が拡大表示されるために映像の品質が悪くなる。また、ビットレートも低いため、ＶＧＡなどの高解像度の表示部２１を活かした高画質な視聴を行いたいと考えても、１セグデータを拡大した映像では十分な品質の映像は得られない。さらに、携帯電話機１５で１２セグの地上デジタル放送を受信するように構成すると、その処理量が多いために消費電力が大きくなり、電池で駆動する携帯電話機には不向きである。
【００２９】
そこで、上記のように、１２セグの地上デジタル放送に基づく映像音声信号を、１２セグの地上デジタル放送を受信することができるデジタル放送受信機７から携帯電話機１５に転送することで、ユーザは、屋内で移動しながらでも高画質の地上デジタル放送を視聴することができるようになる。
【００３０】
図２は、本実施の形態によるデジタル放送受信機７の一構成例を示した機能ブロック図である。本実施の形態によるデジタル放送受信機７は、アンテナ３からの放送を選局するチューナー３１、復調部３３、ＴＳデマルチプレクサ（図ではＴＳ−Ｄｅｍｕｘと略記している。）３５、ＭＰＥＧ２デコーダ３７、無線送受信部５１、操作部４７、制御部４５、変復調部４３、変換部４１、などを有して構成されている。
【００３１】
上記構成において、固定ＵＨＦアンテナ３により受信されたＲＦ信号は、チューナー３１に入力される。チューナー３１では、例えば、操作部４７からの入力に応じた選局を行う。すなわち、ユーザが所望するチャンネル（５．６ＭＨｚの帯域）を構成する１３セグメント分の放送信号（固定受信機向け、及び、移動受信機向けの両方の放送信号）を抽出する。
【００３２】
復調部３３は、チューナー３１で選局された信号に対し、ＯＦＤＭ復調を行う。具体的には、アナログ信号をデジタル信号に変換し、これに対し、ＦＦＴ処理（Ｆａｓｔ  Ｆｏｕｒｉｅｒ  Ｔｒａｎｓｆｏｒｍ：高速フーリエ変換）を行う。そして復調処理（６４ＱＡＭ（ＱｕａｄｒａｔｕｒｅＡｍｐｌｉｔｕｄｅＭｏｄｕｌａｔｉｏｎ）復調など）を行い、誤り訂正を行うことにより、放送局が送り出したＴＳ（Ｔｒａｎｓｐｏｒｔ  Ｓｔｒｅａｍ）パケット信号を生成する。また、この復調部３３は、６４ＱＡＭ方式などで変調された固定受信機向け放送信号と、ＱＰＳＫ（ＱｕａｄｒａｔｕｒｅＰｈａｓｅＳｈｉｆｔＫｅｙｉｎｇ）方式などで変調された移動受信機向け放送信号の両方を復調することが可能である。
【００３３】
ＴＳデマルチプレクサ（Ｄｅｍｕｌｔｉｐｌｅｘｅｒ：分離回路）は、ＴＳパケットを目的別に分離し、所定の処理を行う。具体的には、まず、ＴＳパケットを映像ストリーム、音声ストリーム、データ放送ストリーム、ＳＩ（Ｓｅｒｖｉｃｅ  Ｉｎｆｏｒｍａｔｉｏｎ：番組配列情報）情報などの目的別のパケット信号に分離する。そして、映像ストリーム、音声ストリームのパケットについては、ＭＰＥＧ２デコーダへ送る。データ放送ストリームのパケットについては、制御部４５へ送る。ＳＩ情報は、制御部４５で処理され、ＥＰＧ（Ｅｌｅｃｔｒｏｎｉｃ  Ｐｒｏｇｒａｍ  Ｇｕｉｄｅ）や選局処理等に使用される。また、外部（例えば、携帯電話機）からの要請があった場合に、映像ストリーム、音声ストリームのパケットを外部に送信するための信号を生成する変復調部４３へ出力することも可能である。
【００３４】
ＭＰＥＧ２デコーダ３７は、ＴＳデマルチプレクサ３５から与えられたデータストリームを受けて、映像信号および音声信号へと変換する。変換して得られた映像信号、音声信号はテレビジョン受信装置（以下、「テレビ」と称する。）５へと送信される。ユーザは、テレビ５により、地上デジタルテレビ放送を視聴することができる。
【００３５】
無線送受信部５１は、外部に対して無線信号による通信を行う。変復調部４３は、無線送受信部５１から送信される信号を生成するための変調処理、無線送受信部５１が受信した信号の復調処理などを行う。例えば、ＴＳデマルチプレクサ３５における分離処理により得られた移動受信機向けのＴＳパケット信号は、変復調部４３により無線伝送に適した信号に変調され、無線送受信部５１から携帯電話機などに対して送信することができるようになっている。
【００３６】
また、携帯電話機から送信されてきた無線信号は、変復調部４３により、制御部４５が解読可能な信号に復調処理される。尚、デジタル放送受信機７と携帯電話機との無線通信においては、例えばＢｌｕｅｔｏｏｔｈ方式などを使用することができる。操作部４７は、デジタル放送受信機７の操作ボタン或いはデジタル放送受信機７に付属のリモコン装置などであり、ユーザからの入力を受け付けてデジタル放送受信機７を機能させることができる。
【００３７】
次に、復調部３３における復調処理により得られる（再生される）ＴＳパケットの構成について説明する。ＴＳパケットは、１８８バイトの固定長のパケットである。ＴＳパケットは、パケットヘッダ、アダプテーションフィールド、ペイロード（データ部）から構成される。映像信号や音声信号などは、ペイロードに収められて伝送される。アダプテーションフィールドには、ＰＣＲ（Ｐｒｏｇｒａｍ  Ｃｌｏｃｋ  Ｒｅｆｅｒｅｎｃｅ）と呼ばれる１つの番組の基準となる時刻情報などが収められている。
【００３８】
ＴＳのペイロードには、ストリームに含まれている番組と、その番組の構成を示す情報と、が収められる。これらは、番組配列情報（ＰＳＩ：Ｐｒｏｇｒａｍ  Ｓｐｅｃｉｆｉｃ  Ｉｎｆｏｒｍａｔｉｏｎ）と呼ばれ、ＰＡＴ（Ｐｒｏｇｒａｍ  Ａｓｓｏｃｉａｔｉｏｎ  Ｔａｂｌｅ）、ＰＭＴ（Ｐｒｐｇｒａｍ  Ｍａｐ  Ｔａｂｌｅ）、ＮＩＴ（Ｎｅｔｗｏｒｋ  Ｉｎｆｏｒｍａｔｉｏｎ  Ｔａｂｌｅ）、ＣＡＴ（Ｃｏｎｄｉｔｉｏｎａｌ  Ａｃｃｓｅｓｓ  Ｔａｂｌｅ）の４種類が規定されている。
【００３９】
また、このＴＳパケット信号には、映像信号、音声信号のパケットの他に、データ放送やＥＰＧ（Ｅｌｅｃｔｒｏｎｉｃ  Ｐｒｏｇｒａｍ  Ｇｕｉｄｅ）、選局に必要な情報（ＳＩ情報、ＰＳＩ情報）などが含まれていても良い。
【００４０】
ＭＰＥＧ−２システムのＴＳでは、マルチプログラムの各ＥＳ（Ｅｌｅｍｅｎｔａｒｙ  Ｓｔｒｅａｍ、エレメンタリー・ストリーム。オーディオやビデオのデータをＭＰＥＧ−２で圧縮符号化したデータ）を、それぞれ、ＰＩＤ（Ｐａｃｋｅｔ  ＩＤｅｎｔｉｆｉｅｒ、パケット識別子）という、ＴＳパケットヘッダの１３ビットの識別子で割り振っている。このＰＩＤは、ＭＰＥＧ−２では、０ｘ００１０〜０ｘ１ＦＦＥ（１６進数字、１０進数では１６から８１９０に相当）の間であれば、各ＥＳをどのＰＩＤにも割り振ることができる。
【００４１】
但し、国ごとの放送規格によって、ＰＩＤの放送局への割り振り方や、ＥＳの種類による割り振りが決められている。例えば、映像データ、音声データ、ＰＭＴ、ＰＡＴのＴＳパケットに対しては、それぞれ異なるＰＩＤが割り振られている。デジタル放送受信機のＴＳデマルチプレクサ、或いは、後述する携帯電話機のＴＳデマルチプレクサは、ＴＳパケットのＰＩＤに基づいて、ＴＳパケットを選択、分類し、それぞれに対して所定の処理を行う。例えば、ＴＳパケットが映像データ、音楽データのパケットであれば、ＴＳパケットをＭＰＥＧデコーダへ送信する。
【００４２】
携帯電話機からの要求により、ＭＰＥＧ２デコーダでデコードされた映像データや音声データは変換部４１に送られ、映像データはＨ．２６４に、音声データはＭＰＥＧ−ＡＡＣにそれぞれフォーマット変換される。また映像データに関してはもともとの映像が１６：９の比率のものであれば横４８０ｐｘ・縦２７０ｐｘに、４：３の比率のものであれば横４８０ｐｘ・縦３６０ｐｘにサイズ変換され（後述する、携帯電話機がデータ放送を共に表示する縦向き視聴の場合）、音声データと共に変復調部４３に出力される。変復調部４３に出力されたデータは、無線送受信部５１から携帯電話機に向けて送信される。以上のようにして、携帯電話機のユーザは、デジタル放送受信装置７が受信した地上デジタル放送の番組を、携帯電話機のディスプレイの解像度と同程度に高画質な映像を携帯電話機により視聴することが可能となる。
【００４３】
尚、上記の説明では、映像データをＨ．２６４に、音声データはＭＰＥＧ−ＡＡＣに変換する例について説明したが、携帯電話機が対応可能なフォーマットであれば別のフォーマットであっても良い。従って、携帯電話機からデータをリクエストされる際に、リクエスト番組や映像のサイズだけではなく、対応可能なフォーマット情報も一緒にデジタル放送受信機に送信し、デジタル放送受信機では携帯電話機から送信されたリクエストの情報に含まれるフォーマットで変換するように構成されていれば良い。また、携帯電話機において対応可能なフォーマットが複数ある場合には、その対応可能フォーマットリストをデジタル放送受信機に送信し、デジタル放送受信機はそのリストの中で対応可能なフォーマットを複数の候補の中から選択するような仕組みを有していても良い。
【００４４】
また、携帯電話機がデジタル放送受信機から受信する映像のコーデックは上記のＨ．２６４＋ＭＰＥＧ−ＡＡＣに限定されるものではない。例えば、変復調部から復調されたデータは所定のコーデックによりデコード処理され、音声はスピーカーへ、映像はデータ合成部（もしくはデータ放送を合成する必要が無ければ直接表示部）へ送られるようにしても良い。すなわち、１セグ放送は映像がＨ．２６４、音声がＭＰＥＧ−ＡＡＣであり、デジタル放送受信機から無線電波に乗って送信されるデータが上記コーデックでエンコードされている構成であれば、そのまま映像はＨ．２６４デコーダへ、音声はＭＰＥＧ−ＡＡＣデコーダへ送られれば良い（図３において「変復調部」から各デコーダへ向かっている矢印参照）。この携帯電話機がＭＰＥＧ２のデコーダを搭載していれば（図示せず）、ＭＰＥＧ２でエンコードされたデータが送られてきた場合に、変復調部からＭＰＥＧ２デコーダへ矢印が伸びて、そこからデータ合成部と表示部とへ矢印が進むようにしても良い。
【００４５】
そこで、携帯電話機がデコード可能なフォーマット一覧が、番組リクエスト時にデジタル放送受信機に通知されるように構成しても良い。
【００４６】
図３は、本実施の形態による携帯電話機の一構成例を示す図である。携帯電話機１５は、チューナー６１、復調部６３、ＴＳデマルチプレクサ６５、Ｈ．２６４デコーダ７１、表示部２１、無線送受信部８１、操作部２３、制御部８３、アンテナ１７、ＭＰＥＧ−ＡＡＣデコーダ６７、スピーカー７５、変復調部７７、などを有して構成されている。
【００４７】
アンテナ１７は、地上デジタルテレビ放送局から送信されてきた地上デジタルテレビ放送波を受信する。アンテナ１７が受信したＲＦ信号は、チューナー６１に入力される。チューナー６１では、操作部２３からの入力に応じた選局を行う。このチューナー６１は、ユーザが所望するチャンネル（５．６ＭＨｚの帯域）を構成する１３セグメントの放送信号のうち、中央に配置された１セグメントの放送信号を抽出する。
【００４８】
復調部６３は、チューナー６１で選局された信号に対し、ＯＦＤＭ復調を行う。具体的には、アナログ信号をデジタル信号に変換し、これに対し、ＦＦＴ（Ｆａｓｔ  Ｆｏｕｒｉｅｒ  Ｔｒａｎｓｆｏｒｍ：高速フーリエ変換）を行い、６４ＱＡＭ方式（などによる）復調を行い、そして誤り訂正を行うことにより、放送局が送り出したＴＳ（Ｔｒａｎｓｐｏｒｔ  Ｓｔｒｅａｍ）パケット信号を生成する。
【００４９】
ＴＳデマルチプレクサ６５は、ＴＳパケットを目的別に分離し、所定の処理を行う。例えば、映像に係るパケット信号については、Ｈ．２６４デコーダ７１へ送る。音声に係るパケット信号については、ＭＰＥＧ−ＡＡＣデコーダ６７へ送る。データ放送の信号については、制御部８３へ送信され、表示用に解析された後に表示部２１へ送信される。
【００５０】
Ｈ．２６４デコーダ７１は、ＴＳデマルチプレクサ６５から与えられたデータストリームを受けて、映像信号に変換する。変換して得られた映像信号は表示部２１へ送信される。ユーザは、表示部２１により、地上デジタルテレビ放送を視聴することができる。
【００５１】
ＭＰＥＧ−ＡＡＣデコーダ６７は、ＴＳデマルチプレクサ６５から与えられたデータストリームを受けて、音声信号に変換する。変換して得られた音声信号はスピーカー７５へ送信される。
【００５２】
無線送受信部８１は、外部に対して無線信号による通信を行う。変復調部７７は、無線送受信部８１から送信される信号を生成するための変調や、無線送受信部８１が受信した信号の復調などを行う。例えば、無線送受信部８１は、デジタル放送受信機から送信されてきた映像音声を含む無線信号を受信し、変復調部７７により制御部８３が解読可能な信号に復調される。復調された映像音声信号は、映像信号であればＨ．２６４デコーダ７１に渡され、デコードされた後に表示部２１に送信され、また、音声信号であればＭＥＧ−ＡＡＣデコーダ６７に渡され、デコードされた後、スピーカー７５に送信される。表示部２１では、無線送受信部８１から得られた映像信号と上記のデータ放送の信号とを、同時に表示する。また、携帯電話機１５のユーザにより操作部２３から入力された情報は、変復調部７７により無線信号に変調されて、無線送受信部８１からデジタル放送受信機に送信される。操作部２３は、携帯電話機の操作ボタンなどであり、ユーザからの入力を受け付ける。
【００５３】
図４は、携帯電話機が１セグを受信した時に、地上波デジタル放送のチューナーを探し、映像リクエストをして表示するまでの処理の流れを示すフローチャート図である。
【００５４】
ステップＳ１において、ＴＶ視聴モードを開始すると（携帯電話でＴＶ受信開始：最初の処理）、ステップＳ２において、無線送受信部でネットワーク接続を確認し、ネットワーク接続が可能であれば（Ｙｅｓ）自宅のデジタル放送受信機と接続する（データの送受信が行える状態、コネクションを張る）。ネットワーク上にデジタル放送受信機が見つからない場合や、見つかったがそのデジタル放送受信機のチューナーは現在別に使用されていて携帯電話機のために使用することが出来ない場合は（ステップＳ２でＮｏ）、同じく１セグで視聴する（ステップＳ４）。ここで、デジタル放送受信機と携帯電話機とが直接接続するような接続方法の場合（無線ＬＡＮでいうアドホック接続）、ネットワークに接続する判定は「接続可能なデジタル放送受信機が存在する」となる。
【００５５】
携帯受信端末は、コネクションを張った受信機のチューナーが空いているか確認する（ステップＳ３）。空いていなかったら（Ｎｏ）「１セグで視聴」する（ステップＳ５）。アドホック接続の場合、チューナーの空いているデジタル放送受信機がネットワーク上にあるかどうかの判定は「接続したデジタル放送受信機のチューナーが空いている」となる。ここで、チューナーが空いていなくても、携帯電話機のユーザが所望する番組をデジタル放送受信機が受信している場合には、そのチューナーを利用することも可能である。但し、その場合には、携帯電話機ユーザの所望の番組プログラムがチューナーに伝わっていないと判定できないため、その場合はチューナーが空いているかどうか確認する時に所望のプログラム情報も使用して確認すればよい。
【００５６】
次いで、ステップＳ３でＹｅｓの場合には、携帯電話機での視聴スタイルが横方向視聴（全画面視聴）であるか縦方向視聴（映像プラスデータ）視聴かの確認をする（全画面視聴であれば画面は横方向視聴で、判定はＹｅｓでステップＳ７へ、Ｎｏなら画面は縦方向視聴でステップＳ１１へ進む）。
【００５７】
ステップＳ７、Ｓ１１において、受信したい映像サイズ、フォーマット、音声フォーマット、現在視聴中のコンテンツと特定できる情報を送信し、映像の転送を要求する。ステップＳ７の全画面視聴（横方向視聴）の場合、所望するプログラム情報、映像フォーマットとしてＨ．２６４、音声フォーマットとしてＭＰＥＧ−ＡＡＣ、要求映像サイズとして横６４０ピクセル、縦４８０ピクセルを送信し、映像転送要求をする。
【００５８】
ステップＳ１１で縦方向視聴（データ放送プラス映像）の場合、所望するプログラム情報、映像フォーマットとしてＨ．２６４、音声フォーマットとしてＭＰＥＧ−ＡＡＣ、要求映像サイズとして横３６０ピクセル、縦２７０ピクセルを送信し、映像転送要求をする。
【００５９】
上記は、縦方向横方向共に、映像ソースが４：３の場合を想定した指定となっているが、携帯電話機で映像ソースのアスペクト比（縦横比）がわかっている場合は、受信されるべき映像のサイズで指定しても良い（16:9の放送だとわかっている場合には、全画面視聴で横６４０ピクセル・縦３６０ピクセル、縦方向視聴の場合は横４８０ピクセル・縦２７０ピクセル）。また、携帯電話機によっては画面の上下にアンテナアイコンや電池アイコンなどを表示する場合もあり、そのアプリケーションによって映像スースの表示部分のサイズは異なってくるため、ここでは上記サイズに限定するものではなく、視聴する画面の方向や視聴方法によって、最終的に映像が表示される領域のサイズが指定されればよい。
【００６０】
次いで、ステップＳ８、ステップＳ１２に進み、デジタル放送受信機から映像音声データが転送され、携帯電話機の無線受信部で受信する。ステップＳ９、Ｓ１３で、そのデータを変復調部で認識できるデータに復調され、音声データはＭＰＥＧ−ＡＡＣデコーダへ、映像データはＨ．２６４デコーダへ送信される。また、１セグを受信して得られた放送用データは制御部で解析され、表示部へ送られる（ステップＳ１４に示すように、１セグデータを受信するのは縦方向視聴の場合のみで良い。）。次いで、ステップＳ１０において、デコードされた音声はスピーカーに送出され、映像とデータ放送とが合わされて表示部に表示される。
【００６１】
このように、映像とデータ放送とを含む場合（表示部を縦方向にして視聴する場合）に、横４８０×縦３６０の映像、或いは、横４８０×縦２７０の映像データを受信しておき、データ放送も横４８０に引き伸ばすことができる。デジタル放送受信機からの高品質の映像データは引き伸ばしても品質を維持できるためそれを携帯電話機の表示画面に表示し、一方、文字放送のテキストデータなどに関しては、携帯電話機の表示画面や表示映像の内容などにマッチングしたフォントを使用することにより、拡大しても綺麗なデータ放送を表示させることができる。
【００６２】
より詳細に説明すると、１セグのデータ放送は、横が２４０ｐｘで表示されることを想定し、データ放送記述言語ＢＭＬ文書で記述されている。また、フォントのサイズもＢＭＬ文書内で指定されている。例えば、１２ｐｘのフォントサイズが指定されている場合、ＱＶＧＡのディスプレイ縦方向の場合は、２０文字１行で表示される。これがＶＧＡのディスプレイで表示される場合には、横方向が４８０ｐｘになり、そのまま１２ｐｘのフォントを使用すると４０文字が１行で表示できる。但し、データ放送全体が縦横２倍に拡大されるため、ＢＭＬで指定されているフォントをそのまま（１２ｐｘのまま）使用すると、ＢＭＬ作成者の意図に反するデザインとなってしまう。
【００６３】
また、画像データと同じように１２ｐｘのフォントを表示用メモリに展開してから画像同様全体を縦横２倍に広げると、フォントも最終的にはディスプレイ上のドットで表示される。すると、文字の斜め線などにおけるジグザグなどの乱れがそのまま引き伸ばされてしまうという問題がある。そこで、１２ｐｘと指定されている時に２４ｐｘのフォントを使用すると、１２ｐｘのフォントを２倍に引き伸ばす場合と異なり、文字を綺麗に表示させることができる。
【００６４】
尚、受信する映像サイズは、元の放送映像のサイズに依存する。このように、画像データなどは引き伸ばし、テキストはそれにマッチしたフォントを使用することで、大きくしても綺麗なデータ放送を得られる。
【００６５】
また、ここで、「１セグと同様の番組であるかどうか」の判定方法としては、少なくとも２００８年まではサイマル放送で、固定受信と携帯受信との番組は同じであることが義務付けられているため、サイマル放送がなされている環境下においてはチャンネル番号（６ならＴＢＳであるとか８ならフジテレビであるという情報）だけ通知すれば、同じ時間のそのチャンネルの番組を転送すればよい。
【００６６】
一方、サイマル放送でない場合や、携帯電話は大阪にあり受信機は東京にあるという場合などは、チャンネル番号だけでは特定できない。それを特定する方法として、放送のＴＳに含まれるＥＩＴやＮＩＴを比較したり、番組のタイトル情報をテキストで送信して受信機で同時刻のタイトルの番組をサーチしたりする方法が挙げられる。すなわち、番組を特定できる番組情報を携帯から送信することで可能となる。
【００６７】
次に、携帯電話から要求されたデジタル放送受信機が映像データを転送するまでの処理の流れについて図５に示すフローチャート図を参照しながら説明を行う。まず、ステップＳ２１において、デジタル放送受信機が携帯電話機とのネットワーク接続を行う。次いで、ステップＳ２２において、図４における「チューナーの空きがあるかの問い合わせ」に対して回答を行う。このステップを判定処理において、チューナーデバイスに空きがあれば「ある」と回答し、空きがなければ「ない」と回答するように処理しても良い。ステップＳ２３において映像要求があれば、ステップＳ２４に進み、図４のステップＳ７における映像の転送要求を受信する。次いで、ステップＳ２５において、受信した番組を変換部において、指定されたサイズ、フォーマットに変換する処理を行い、ステップＳ２６において、変復調部において、無線で送信できる形に変調する処理を行い、次いで、ステップＳ２７において、無線送受信部から送信する処理を行う。以上の処理により、デジタル放送受信機が映像データを要求元の携帯電話機に転送することができる。
【００６８】
図６は携帯電話機の視聴スタイルが縦方向と横方向とで入れ替わった時の動作のフローチャート図である。
まず、ステップＳ１３において、視聴の変換（縦横視聴変換）が行われると、図４のステップＳ６の「全画面視聴」であるか否かの判定処理までジャンプし、以下、図４と同様の処理が行われる。
【００６９】
以上に説明したように、携帯電話機が１セグ放送を受信すると、地上デジタルチューナーを備えた装置を探して、映像転送をリクエストするように構成することにより、高解像度ディスプレイを搭載している場合でも１セグ受信機における表示品質を向上させることができる。あわせて、データ放送も楽しめるようにすることができる。
【００７０】
次に、本発明の第２の実施の形態によるデジタル放送受信システムについて図面を参照しながら説明を行う。図７は、本実施の形態によるシステムであって、携帯電話機が宅外にある状態で視聴が行われる状況を示すシステム構成例を示す図である。基本的な構成は、図１に示す構成と同様であるが、家庭のデジタル放送受信機７が家庭内のネットワークにより携帯電話機に接続される代わりに、モデム１０を経由してインターネット網ＮＴに接続されている。そして、インターネット網ＮＴ経由で携帯電話機１５と接続されている。携帯電話機１５は、宅内のデジタル放送受信機７と直接に無線で接続される代わりに、外の無線ＬＡＮアンテナ８５に接続されており、インターネット網ＮＴ経由で自宅のデジタル放送受信機７とコネクションが張られている。この構成によれば、携帯電話機１５とデジタル放送受信機７とが離れている状態においても第１の実施の形態と同様に１セグ受信機における表示品質を向上させることができるとともに、データ放送も楽しめるようにすることができるため、利用範囲を広げることができるという利点がある。
【００７１】
すなわち、携帯電話機１５が無線ＬＡＮなどにより、自宅のデジタル放送受信機７と接続可能な場合、例えばＱＶＧＡの１セグ放送を受信するよりも、自宅のデジタル放送受信機７から送られるＶＧＡのデータに基づく高画質をソースとして表示させることにより、綺麗な画像を見ることができる。この際、屋外でも１セグのデータと自宅から送られてきた映像とを結合して表示することで、ユーザーは１セグのみに基づいて放送を視聴しているという感覚で、ユーザに意識させずに、実際には装置内では自宅から送られてくる高画質映像を提供することができるという利点がある。
【００７２】
次に、本発明の第３の実施の形態によるデジタル放送受信システムについて図８を参照しながら説明を行う。上記第１、第２の実施の形態では、１セグのデータ放送は、あくまで携帯電話１５がテレビ塔１から受信することを前提としている例を示した。本実施の形態では、１セグのデータ放送Ｌ４も固定受信機であるデジタル放送受信機７から受信するようになっている。すなわち、図８のように、１セグのデータ放送の情報も、デジタル放送受信機７から得られるようにしても良い。この場合、デジタル放送受信機７は１３セグのデジタル放送波を受信した後、１セグ部分のデータからデータ放送情報を抜き出し、携帯電話１５から要求された映像と共にそのデータ放送の情報を、携帯電話１５に送信する。このようにすることで、家Ｈの中などで携帯電話１５の１セグ放送受信が難しいような場合でも、ディスプレイの解像度を最大限に活かした上でデータ放送も楽しむことが可能となる。
【００７３】
尚、１セグ放送受信強度が、テレビ塔１からの信号とデジタル放送受信機７からのものでいずれが大きいかを判定し、強度が大きい方から１セグデータを取得するように制御する制御部を携帯電話１５に設けておいても良い。
【００７４】
以下においては、映像とデータとの構成例について図面を参照しながら説明を行う。図９は、本実施の形態による携帯電話機の映像視聴時の縦向き視聴の場合の映像ソースに基づく表示領域９１ａと、データ放送や字幕の表示領域９１ｂとが表示部２１において表示されている様子の例を示す図である。携帯電話機の表示画面２１がＶＧＡである場合を例に説明する。図９（Ａ）に示す例では、表示部２１が、横４８０ｐｘ、縦６４０ｐｘであり、映像ソースに基づく表示領域９１ａは、縦２７０ｐｘ、横３６０ｐｘで、４：３の表示が行われている。
【００７５】
一方、図９（Ｂ）では、同じＶＧＡ（横４８０ｐｘ、縦６４０ｐｘ）の表示部２１において、映像ソースに基づく表示９３ａが、４８０ｐｘ、２７０ｐｘの１６：９の表示であり、その下にデータ放送、字幕の表示９３ｂが４８０ｐｘ、３７０ｐｘで表示されている。
【００７６】
図１０は、横向き視聴する場合の表示例を示す図である。この場合には、携帯電話機の画面がＶＧＡであり、映像のみを表示させる例を示すものである。図１０（Ａ）に示す図では、携帯電話の表示画面２１がＶＧＡであり、表示部を横長の向きにした横向き視聴の場合の映像ソース（４：３）に基づく映像表示の様子を示している。横６４０ｐｘ、縦４８０ｐｘの全画面表示を高画質で楽しむことができる。一方、図１０（Ｂ）に示すように、携帯電話機の画面がＶＧＡの場合であって、横６４０ｐｘ、縦４８０ｐｘの表示画面において、３６０ｐｘ×６４０ｐｘの領域に映像ソース（１６：９）に基づく表示９７ｂをさせるようにしても良い。この場合には、表示９７ｂの上下に空白領域９７ａ・９７ｃが配置されるようにしているが、表示領域と空白領域との配置は任意である。図１０（Ｂ）の場合には、表示すべきデータがないため、空白領域を設けている。もちろん、空白領域に飾りの模様などを表示させても良い。
【００７７】
尚、上述した実際の映像サイズや配置の様子は、そのアプリケーションによって異なるものであり、図９、図１０に示す表示例はあくまでその１例である。また、これは、携帯受信機の表示画面がＶＧＡである場合を前提としているため、ディスプレイがＷＶＧＡなどＶＧＡとは異なる場合には、そのアプリケーションに適した画面構成となるように表示制御され、その画面構成に対応する映像のサイズを携帯電話からの映像等の送信要求時に指定するようにようにすれば良い。より具体的には、映像＋データ放送のソースを受信した場合（ディスプレイ縦方向視聴）には、横４８０×縦３６０の映像か、横４８０×縦２７０の映像を受信し、データ放送も横４８０に引き伸ばす。すなわち、画像データなどは引き伸ばし、テキストはそれにマッチしたフォントを使用するなどして、表示画面が大きく表示領域自体も大きくできる場合でも、高品質の映像と綺麗なデータ放送表示とを得ることができる。受信する映像サイズは、元の放送映像のサイズの縦横比を反映させる、すなわち、例えば、映像ソースが３２０×２４０（４：３）であるか３２０×１８０（１６:９）であるかのいずれであるかによって、受信する映像サイズを変更するように制御する。
【００７８】
映像ソースに基づいて受信する映像サイズを制御する方法としては、例えば、以下のような方法を用いることができる。携帯電話の表示画面がＶＧＡである場合で、１セグ放送で得られている視聴映像のサイズが３２０×２４０（４：３）である場合、映像を表示させるエリアサイズは、縦方向視聴（映像＋データ放送）の場合には３６０×２７０、横方向（全画面）視聴（映像のみ）の場合には６４０×４８０となるため、映像の送信要求時（図４のＳ７もしくはＳ１１）に、そのサイズ情報を使用して要求を行う。同様に１セグ放送で得られている視聴映像のサイズが３２０×１８０（１６：９）である場合には、縦方向視聴の場合４８０×２７０、横方向視聴の場合６４０×３６０というサイズ情報を使用して要求を行う。
【００７９】
尚、図９（Ａ）において、映像部分のサイズを３６０×２７０として例を記載しているが、表示するアプリケーションによっては、横幅に合わせた４８０×３６０（４：３）で表示するようにしても良い。
【００８０】
１セグ放送の受信はデータ放送を受信するためだけに動作することとなるため、受信を常に行うのではなく、間欠的に行うようにすることが可能なため（データ放送は静的であるため常時更新する必要はない。）、装置の消費電力を抑えることができる。加えて、全画面（映像）表示の時には、横６４０×縦４８０の映像か、横６４０×縦３６０の映像を受信し、１セグの受信を行わなくても良い。すなわち、データ放送を表示する領域がないため１セグ放送の受信を停止しても良い。このようにすることで、バッテリにより駆動される携帯電話における電力消費を抑制することができる。
【００８１】
以上に説明したように、本実施の形態によれば、携帯端末装置のディスプレイサイズもしくは表示モード（表示サイズ）に最適なサイズで配信するようにすることができる。従って、高画質ディスプレイであればそれを生かして綺麗に視聴することができる。この際、１セグのデータ放送も同時に楽しむことも可能である。１セグの受信はデータ放送のためだけに用いる場合に、不要な受信を減らすことも可能である。
【００８２】
例えば、ＶＧＡなどの高解像度ディスプレイを搭載している１セグ受信機において、１セグの放送映像サイズＱＶＧＡよりも高解像度で、ビットレートも高い高画質で視聴できる。また、データ放送も同時に楽しめる。全画面表示、データ放送＋映像の切り替えで常にdot by dotの信号を表示できるため、スケーリングを必要としないため、コストを削減することも可能である。
【産業上の利用可能性】
【００８３】
本発明は、デジタル放送受信システムとして利用可能である。
【図面の簡単な説明】
【００８４】
【図１】本発明の第１の実施の形態によるデジタル放送受信システムの一構成例を示す図である。
【図２】本実施の形態によるデジタル放送受信機の一構成例を示した機能ブロック図である。
【図３】本実施の形態による携帯電話機の一構成例を示す図である。
【図４】携帯電話機が１セグを受信した時に、地上波デジタル放送のチューナーを探し、映像リクエストをして表示するまでの処理の流れを示すフローチャート図である。
【図５】携帯電話から要求されたデジタル放送受信機が映像データを転送するまでの処理の流れを示すフローチャート図である。
【図６】携帯電話機の視聴スタイルが縦方向と横方向とで入れ替わった時の動作のフローチャート図である。
【図７】本発明の第２の実施の形態によるデジタル放送受信システムの一構成例を示す図である。
【図８】本発明の第３の実施の形態によるデジタル放送受信システムの一構成例を示す図である。
【図９】本実施の形態による携帯電話機の映像視聴時の縦向き視聴の場合の映像ソースに基づく表示領域と、データ放送や字幕の表示領域とが表示部において表示されている様子の例を示す図である。
【図１０】横向き視聴する場合の表示例を示す図である。
【符号の説明】
【００８５】
Ａ…デジタル放送受信機、Ｈ…建物、１…テレビ塔、３…ＵＨＦアンテナ、５…テレビジョン受信装置、７…デジタル放送受信機、１５…携帯電話機、１７…ＵＨＦアンテナ、２１…表示部、２３…操作部、３１…チューナー、３３…復調部、３５…ＴＳ−ＤＥＭＵＸ、３７…ＭＰＥＧ２デコーダ、４１…変換部、４３…変復調部、４５…制御部、４７…操作部、５１…無線送受信部、６１…チューナー、６３…復調部、６５…ＴＳ−ＤＥＭＵＸ、６７…ＭＰＥＧ−ＡＣＣデコーダ、７１…Ｈ．２６４デコーダ、７３…デコーダ、７５…スピーカー、７７…変復調部、８１…無線送受信部、８３…制御部。
【図１】
2008199111.tif 000003
【図２】
2008199111.tif 000004
【図３】
2008199111.tif 000005
【図４】
2008199111.tif 000006
【図５】
2008199111.tif 000007
【図６】
2008199111.tif 000008
【図７】
2008199111.tif 000009
【図８】
2008199111.tif 000010
【図９】
2008199111.tif 000011
【図１０】
2008199111.tif 000012